(57)【要約】【課題】夜間の就床以外の行動が心配な被見守り者を見守ることができる見守り装置を提供する。【解決手段】見守り装置１０は、老齢者が就床状態か離床状態かを検知する第１センサ２０と、第１センサ２０が設置された寝室Ｒ１から離れた台所Ｒ２、トイレＲ３、脱衣所Ｒ４および浴室Ｒ５での老齢者の所在を検知する第２センサ３０と、第１センサ２０および第２センサ３０からの通知を受信して、老齢者を見守る制御装置４０とを備えている。この制御装置４０は、第１センサ２０からの老齢者の就床状態を示す通知を受信したときには時間監視せず、第２センサ３０からの老齢者の所在通知を受信したときに計時をスタートさせ、計時が所定時間を超えると警報を報知する。【選択図】図１
2018072886.tif 000002
【特許請求の範囲】
【請求項１】
被見守り者が就床状態か離床状態かを検知する第１センサと、前記第１センサから離れた他の場所での前記被見守り者の所在を検知する第２センサと、前記第１センサおよび前記第２センサからの通知を受信して、前記被見守り者を見守る制御装置とを備え、
前記制御装置は、前記第１センサからの前記被見守り者の就床状態を示す通知を受信したときには時間監視せず、前記第２センサからの前記被見守り者の所在通知を受信したときに計時をスタートさせ、前記計時が所定時間を超えると警報を報知する機能を備えた見守り装置。
【請求項２】
前記制御装置は、前記第１センサが離床状態であり、前記第２センサが不在状態である場合、その状態の継続時間が所定時間を超えると警報を報知する機能を備えた請求項１記載の見守り装置。
【請求項３】
前記第１センサは、前記被見守り者が就床の状態のときに、前記被見守り者の生体情報を測定して、前記制御装置へ通知する機能を備え、
前記制御装置は、前記被見守り者が就床状態で、前記生体情報が検知できない場合に、警報を報知する機能を備えた請求項１または２記載の見守り装置。
【発明の詳細な説明】
【技術分野】
【０００１】
本発明は、見守り者が被見守り者を遠隔で監視できる見守り装置に関するものである。
【背景技術】
【０００２】
老齢者や要介助者（以下、老齢者等と称す。）の一人暮らしは、離れて生活する家族からしてみれば、大変、心配である。老齢者等の動きを検知することで、老齢者等の活動が遠隔からでもわかれば、家族は安心である。
このような、老齢者の動きを検知する見守り装置として特許文献１，２に記載されたものが知られている。
【０００３】
特許文献１に記載の生活状況遠隔監視システムおよび生活状況遠隔監視方法は、住居の電力供給ラインと電気機器の間に、検出部を介在させて、電気機器の消費電力を計測し、電気機器の稼働状態を判定して遠隔監視装置に送信することで、電気機器の稼動状況を住居から離れた場所でも把握できるようにしたものである。
【０００４】
また、特許文献２に記載の見守り装置は、寝床上の複数の領域における被見守り者の動きをそれぞれ検出する第１のセンサと、寝床上における被見守り者の存否を検出する第２のセンサと、第１のセンサ及び第２のセンサに基づいて、被見守り者の状態を判定し、当該状態を示す状態信号を出力して、被見守り者の寝床上での状態を高い確度で判定するようにしたものである。
【先行技術文献】
【特許文献】
【０００５】
【特許文献１】特開２０１５−１５４１１４号公報
【特許文献２】特開２０１６−１９５８４号公報
【発明の概要】
【発明が解決しようとする課題】
【０００６】
しかし、特許文献１に記載されたものは、夜間で、被見守り者が就床していれば、電気製品を使用しないので、被見守り者が安全な状態なのか否かが判断し難い。
また、特許文献２に記載されたものは、夜間に被見守り者がトイレに立ち、トイレで動けなくなってしまったとか、喉が乾いたため台所へ向かい、台所で動けなくなったしまったとかがわからない。
【０００７】
日中であれば、宅配業者や郵便物の集配人、訪問介護のヘルパー、家族など、何かと訪問者がいて心配の度合いは低いが、夜間は、概ね訪問者は少ないかいないため、被見守り者が就床した状態で朝まで迎えればよいが、寝床から起き出した移動先で不慮の事故が発生するかも知れないため、家族は心配である。
しかし、老齢者も就床して活動が抑えられるため、老齢者の動きを遠隔から見守り装置により監視していても、就床によるためか、寝床から起き出した移動先でのことなのかが分かり難い。
【０００８】
そこで本発明は、夜間の就床以外の行動が心配な被見守り者を見守ることができる見守り装置を提供することを目的とする。
【課題を解決するための手段】
【０００９】
本発明の見守り装置は、被見守り者が就床状態か離床状態かを検知する第１センサと、前記第１センサから離れた他の場所での前記被見守り者の所在を検知する第２センサと、前記第１センサおよび前記第２センサからの通知を受信して、前記被見守り者を見守る制御装置とを備え、前記制御装置は、前記第１センサからの前記被見守り者の就床状態を示す通知を受信したときには時間監視せず、前記第２センサからの前記被見守り者の所在通知を受信したときに計時をスタートさせ、前記計時が所定時間を超えると警報を報知する機能を備えたことを特徴とする。
【００１０】
本発明の見守り装置によれば、被見守り者が就床の状態か否かを検知する第１センサについては、時間監視せず、他の場所での被見守り者の所在を検知する第２センサについては時間監視する。そして、第２センサからの被見守り者の所在通知を受信したときに計時をスタートさせ、この計時が所定時間を超えると警報を報知する。従って、被見守り者が就床して活動が抑えられる夜間であっても、就床から起き出した移動先での異常を発見することができる。ここで、就床状態とは、被見守り者が寝床に入り、横臥した状態を示し、横臥した被見守り者が覚醒状態および睡眠状態の両方を含む。離床状態とは、被見守り者が寝床から離れた状態を示す。
【００１１】
前記制御装置は、前記第１センサが離床状態であり、前記第２センサが不在状態である場合、その状態の継続時間が所定時間を超えると警報を報知する機能を備えることができる。被見守り者が、離床して移動した先、例えば、台所やトイレ、脱衣所などに辿り着く前に転倒などしてしまうことがよくあるが、そのような場合でも、被見守り者の事故を検知することができる。
【００１２】
前記第１センサは、前記被見守り者が就床の状態のときに、前記被見守り者の生体情報を測定して、前記制御装置へ通知する機能を備え、前記制御装置は、前記被見守り者が就床状態で、前記生体情報が検知できない場合に、警報を報知する機能を備えることができる。被見守り者が、就床状態のときに、第１センサから得られた生体情報により異常を検知することができるため、就床状態にある被見守り者の体調が悪化したときでも、異常を検知することができる。
【発明の効果】
【００１３】
本発明の見守り装置によれば、就床して活動が抑えられる夜間であっても、就床から起き出した移動先での異常を発見することができるので、夜間の就床以外の行動が心配な被見守り者を見守ることができる。
【図面の簡単な説明】
【００１４】
【図１】本発明の実施の形態に係る見守り装置の構成を説明するための図である。
【図２】図１に示す見守り装置における制御装置の構成を説明するための図である。
【図３】図１に示す見守り装置の動作および使用状態を説明するための図である。
【図４】図３に続く見守り装置の動作および使用状態を説明するための図である。
【図５】図２に示す制御装置における情報表示手段が表示する一覧表の一例の図である。
【発明を実施するための形態】
【００１５】
本発明の実施の形態に係る見守り装置を図面に基づいて説明する。
図１に示す見守り装置１０は、見守り業者や医師、老齢者の家族が、遠隔から、被見守り者である一人暮らしの老齢者を見守ることを支援するものである。
見守り装置１０は、老齢者が就床状態か離床状態かを検知する第１センサ２０と、他の場所での老齢者の所在を検知する第２センサ３０と、第１センサ２０および第２センサ３０からの通知を受信して、被見守り者を見守る制御装置４０とを備えている。
【００１６】
第１センサ２０は、例えば、ＷｉＦｉ（登録商標）により、居間Ｌに設置された無線ルータＲに接続されている。第２センサ３０は、例えば、ＢＬＵＥＴＯＯＴＨ（登録商標）により、居間Ｌに設置されたゲートウェイと称される無線中継装置ＧＷを介して無線ルータＲに接続されている。無線ルータＲと無線中継装置ＧＷとは、ＬＡＮケーブルにより接続されている。
無線ルータＲは、図示しないモデムまたは光回線終端装置を介してインターネットＷに接続している。
【００１７】
第１センサ２０は、寝室Ｒ１に配置されたベッドＢに設置されている。第１センサ２０は、老齢者が第１センサ２０上に胸部の位置を合わせて横臥することで、老齢者の荷重を検知して通知すると共に、呼吸を示す呼吸信号や、脈拍を示す心拍信号などの生体情報を通知することができるものである。第１センサ２０が、老齢者の荷重を検知していれば就床状態であり、荷重を検知していなければ離床状態である。
第１センサ２０は、時間監視非対象センサである。第１センサ２０は、例えば、第１センサ２０は、株式会社ワンビジョンのスリープビジョンが使用できる。
【００１８】
第２センサ３０は、台所Ｒ２に設置された台所センサ３１と、トイレＲ３に設置されたトイレセンサ３２と、脱衣所Ｒ４（洗面所）に設置された脱衣所センサ３３と、浴室Ｒ５に設置された浴室センサ３４とにより構成されている。第２センサ３０は、時間監視対象センサである。
【００１９】
台所センサ３１は、台所Ｒ２の照明の点灯の有無を検知する照度センサである。トイレセンサ３２、脱衣所センサ３３および浴室センサ３４は、トイレＲ３、脱衣所Ｒ４および浴室Ｒ５の各扉の開閉を検知するセンサと、扉と壁によって区画されたそれぞれの区画（トイレＲ３、脱衣所Ｒ４、浴室Ｒ５）内での老齢者の動作を検知する人感センサとを組み合わせたものである。
【００２０】
制御装置４０は、見守り業者に設置されたコンピュータである。制御装置４０には、イントラネットを通じて、ノート型パーソナルコンピュータによる端末装置Ｔが接続されている。この端末装置Ｔは、被見守り者の各種の情報が表示されるモニタ装置である。見守り業者の担当者が、端末装置Ｔを監視して異常を発見すると、異常の通知は制御装置４０から報知されるが、念の為に、医師に連絡を取り派遣を要請したり、家族へ連絡を取ったりする。
【００２１】
図２に示すように、制御装置４０は、通信手段４１と、就床状態解析手段４２と、時間計数手段４３と、報知手段４４と、情報表示手段４５と、記憶手段４６とを備えている。
通信手段４１は、制御装置４０を通信可能にインターネットＷと接続するものである。
就床状態解析手段４２は、第１センサ２０からの生体情報を受信して、離床状態か就床状態かを判断したり、就床状態でも覚醒状態か、睡眠状態か、または深睡眠状態かを判断したりする機能を備えている。
【００２２】
時間計数手段４３は、第１センサ２０と第２センサ３０とからの通知に基づいて老齢者が正常状態か異常状態かを判断する機能を備えている。
報知手段４４は、時間計数手段４３が検知した異常状態、就床状態解析手段４２が検知した異常状態の通知により、医師や介護者、家族などの見守り者に報知する機能を備えている。この報知は、電子メールとしたり、携帯電話番号を利用したショートメッセージサービスを利用したり、電話回線を通じた音声することができる。また、報知は、インターネットＷを介して、見守り者が携行する携帯端末装置の一例であるスマートフォンの表示画面に、ポップアップメッセージとして報知することもできる。
【００２３】
異常状態の報知を電子メールとすると、電子メールはポーリング型であるため、見守り者がメールサーバから受信しなければ気が付かない。ショートメッセージサービスを利用したり、スマートフォンの表示画面にポップアップメッセージとして報知したりするようなプッシュ型であれば、見守り者が、直ぐに気が付くため望ましい。
【００２４】
情報表示手段４５は、記憶手段４６に格納された生体情報や、生体情報に基づいて解析した睡眠情報に基づいて、端末装置Ｔへ表示したり、携帯端末装置Ｔ１〜Ｔ３に表示したりする機能を備えている。
記憶手段４６は、プログラムや設定の外に、第１センサ２０および第２センサ３０からの通知、就床状態解析手段４２による解析結果が格納される。
【００２５】
以上のように構成された本発明の実施の形態に係る見守り装置１０の動作および使用状態を、図面に基づいて説明する。
台所センサ３１、トイレセンサ３２、脱衣所センサ３３および浴室センサ３４は、扉の開閉と、区画内での老齢者の動作とを検知する。例えば、扉が開き、区画内で動作を検知する、または扉の開閉に無関係に区画内での動作を検知すれば老齢者が区画内に所在している旨の通知（所在通知）を制御装置４０へ送信する。また、老齢者が区画内に所在していたが、扉が開き、区画内での動作が検知できなければ老齢者が出ていって不在である旨の通知（不在通知）を制御装置４０へ送信する。
【００２６】
図１に示すように、老齢者が脱衣所Ｒ４の扉を開けて、脱衣所Ｒ４へ入ったとする。そうすると、脱衣所センサ３３から所在通知が制御装置４０へ送信される。脱衣所センサ３３からの所在通知は、無線中継装置ＧＷ、無線ルータＲおよびインターネットＷの順に伝わり、制御装置４０へ到達する。
【００２７】
制御装置４０では、通信手段４１を介して時間計数手段４３が所在通知を受信すると記憶手段４６へ格納する。そして、時間計数手段４３は、脱衣所用タイマにより時間監視を開始する（図３に示すステップＳ１０）。時間計数手段４３では、脱衣所用タイマが所定時間を超えたか否かを判断している。ここでは、脱衣所用タイマが所定時間を超える前に、老齢者が服を脱ぎ、浴室Ｒ５の扉を開け、浴室Ｒ５へ進んだとする。
【００２８】
老齢者が浴室Ｒ５へ進み、浴室センサ３４が浴室Ｒ５の扉が開けられ、老齢者の動作を検知することで、所在通知を制御装置４０へ送信する。
制御装置４０では、時間計数手段４３が浴室センサ３４からの所在通知により（ステップＳ２０）、脱衣所センサ３３からの不在通知を受けることなく、脱衣所用タイマをリセットする（ステップＳ３０）と共に、浴室用タイマの計時を開始する（ステップＳ４０）。脱衣所用タイマがリセットされることで、老齢者が脱衣所Ｒ４から次の場所へ移動したことを判別することができる。
【００２９】
老齢者は、浴室Ｒ５の浴槽に浸かったり、洗い場で体を洗ったりして入浴する。浴槽に浸かり続けることで、老齢者の動作が検知できなくても、浴室センサ３４は浴室Ｒ５の扉の開閉がないことから不在通知を送信しない。従って、制御装置４０では、浴室用タイマの計時は継続している。
【００３０】
浴室用タイマが所定時間を超える前に、老齢者は入浴を終え、浴室Ｒ５から脱衣所Ｒ４へ、浴室Ｒ５の扉を開けて移動したとする。そうすることで、浴室センサ３４により扉の開閉が検知され、老齢者の動作が検知できなくなったことにより、不在通知を送信する（ステップＳ５０）。また、脱衣所センサ３３が老齢者の入室による動作を検知することで、所在通知を送信する（ステップＳ６０）。
【００３１】
制御装置４０では、時間計数手段４３が浴室センサ３４からの不在通知、または脱衣所センサ３３からの所在通知により、浴室用タイマをリセットする（ステップＳ７０）。また、脱衣所センサ３３からの所在通知により、脱衣所用タイマの計時を開始する（ステップＳ８０）。
【００３２】
老齢者は、入浴後に脱衣所Ｒ４（洗面所）にて、パジャマなどの寝衣を着て、歯を磨き、就床の準備を整える。そして、就床の準備が整うと、老齢者は、脱衣所Ｒ４から退出する。老齢者が脱衣所Ｒ４の扉を開けて脱衣所Ｒ４から退出することで、脱衣所センサ３３は脱衣所Ｒ４の扉を開けられ、脱衣所Ｒ４内での老齢者の動作が検知できなくなったことから、不在通知を制御装置４０へ送信する（ステップＳ８０）。
制御装置４０では、脱衣所センサ３３からの不在通知により、時間計数手段４３が脱衣所用タイマをリセットする（ステップＳ９０）。
【００３３】
脱衣所Ｒ４から退出した老齢者は、この後、短い廊下Ｒ６を通って、寝室Ｒ１へ向かい、ベッドＢへ横臥したとする。しかし、ベッドＢへ老齢者が横臥して第１センサ２０が老齢者を検知するまで、第２センサ３０のそれぞれでは老齢者を検知できない。
制御装置４０では、時間計数手段４３が脱衣所用タイマをリセットした時点で、第１センサ２０が離床状態であり、第２センサ３０が不在状態であるときに、その状態の継続時間を、時間計数手段４３が不定用タイマにより計時して監視する（ステップＳ１００）。
【００３４】
そして、不定用タイマの計時が所定時間を越える前に、老齢者がベッドＢに辿り着き、ベッドＢに横臥して就床したことより、第１センサ２０が、老齢者の荷重を検知すると共に、老齢者の生体情報とを制御装置４０へ送信する（ステップＳ１１０）。
制御装置４０では、就床状態解析手段４２が、第１センサ２０からの荷重を検知した旨の通知により就床状態であると認識できるため、時間計数手段４３が不定用タイマをリセットする（ステップＳ１２０）。
【００３５】
第１センサ２０は、常時、生体情報を送信している。就床状態解析手段４２は、この生体情報に基づいて老齢者の睡眠の状態を解析して記憶手段４６に格納している。
老齢者は、これまで、浴室Ｒ５にて入浴した後に、脱衣所Ｒ４にて歯を磨いており、寝室Ｒ１のベッドＢに不在であったため、生体情報は得られなかった。
【００３６】
老齢者がベッドＢに横臥して就床したことより第１センサ２０から荷重が掛かったことの通知と、生体情報とが送信されるので、就床状態解析手段４２は、離床状態か就床状態かを判断したり、就床状態でも覚醒状態か、睡眠状態か、または深睡眠状態かを判断したりすることができる。
【００３７】
離床状態は、老齢者の荷重が検知できない状態である。就床状態は、老齢者の荷重が検知された状態である。覚醒状態は、就床状態で、かつ荷重の検知位置が変化する状態である。睡眠状態は、就床状態で、かつ荷重の検知位置が変化しない状態である。更に、深睡眠状態は、呼吸数が睡眠状態より更に低くなった状態である。
【００３８】
就床状態解析手段４２は、就床状態であるが、呼吸が検知できない、または通常より呼吸数が少ないとき、心拍が検知できないまたは通常より少ないなどのときに、報知手段４４へ異常を検知したことを通知する。そうすることで、就床状態にある老齢者の体調が悪化したときでも、異常を検知することができる。
【００３９】
老齢者の就床は、横臥した状態で、大きな動作が伴わないため、老齢者が就床状態の場合には、就床状態解析手段４２による監視だけで、時間計数手段４３の時間監視はしない。
しかし、老齢者は、一旦、就床しても、睡眠が浅いために、夜間に覚醒して離床しやすい傾向にある。例えば、喉が乾いて水を飲んだり、就床前にトイレに行ったのもかかわらず、また尿意を催してトイレに行ったりすることがある。
【００４０】
例えば、就床状態の老齢者（ステップＳ１３０）が離床してトイレＲ３に排尿へ行ったとする。または、老齢者が離床して台所Ｒ２へ水を飲みに行ったとする。老齢者が離床すると、第１センサ２０から荷重が掛からなくなった（離床状態）ことが送信される。
制御装置４０では、第１センサ２０による老齢者の検知が無い離床状態であり、いずれの第２センサ３０からも所在通知が無い不定状態であると判断して、不定用タイマの計時をスタートさせる（ステップＳ１４０）。
【００４１】
老齢者が廊下Ｒ６を通ってトイレＲ３に辿り着き、トイレＲ３の扉を開けて便座に座ることで、トイレセンサ３２が所在通知を送信する。または、老齢者が廊下Ｒ６を通って台所Ｒ２に辿り着き、台所Ｒ２の照明を点灯させることで、台所センサ３１が照度を検知して所在通知を送信する。
時間計数手段４３は、この所在通知により、不定用タイマをリセットする（ステップＳ１５０）。そして、時間計数手段４３は、所在通知がトイレセンサ３２からのものであればトイレ用タイマの計時をスタートさせ（ステップＳ１６０）、台所センサ３１によるものであれば台所用タイマの計時をスタートさせる（ステップＳ１７０）。
【００４２】
ここで、各タイマの計時が所定時間を超えた場合を説明する。
時間計数手段４３は、記憶手段４６に格納されたしきい値と、それぞれのタイマの計時とを比較して、超えたか否かを判定している。
このしきい値は、適宜決定することができる。例えば、しきい値は、台所Ｒ２であれば３０分〜１時時間、トイレＲ３であれば２０分〜４０分、脱衣所Ｒ４であれば１０分〜３０分、浴室Ｒ５であれば３０分〜１時間などである。また、寝室Ｒ１、台所Ｒ２、トイレＲ３、脱衣所Ｒ４および浴室Ｒ５以外に所在した場合の不定状態は、夜間に移動する廊下Ｒ６を通過する時間を考慮すれば、１０分もあれば充分である。
【００４３】
例えば、図４に示すように、就床状態の老齢者（ステップＳ２１０）が離床してトイレＲ３に排尿へ行ったときに、時間計数手段４３は不定用タイマによる計時の後、トイレ用タイマの計時をスタートさせるが（ステップＳ２２０）、トイレＲ３の中で老齢者が体調を崩し動けなくなったとする。
時間計数手段４３は、記憶手段４６に格納されたトイレ用タイマにおけるしきい値と、トイレ用タイマによる計時と比較しており、トイレ用タイマによる計時がしきい値を超えたことにより、老齢者に何らかの異常が発生したものとして、報知手段４４に異常の発生を通知する（ステップＳ２３０）。
本実施の形態では、老齢者がトイレＲ３にて体調を崩したことを例に説明したが、台所Ｒ２であれば台所センサ３１、脱衣所Ｒ４であれば脱衣所センサ３３、浴室Ｒ５であれば浴室センサ３４からの所在通知によりそれぞれのタイマをスタートさせ、またいずれの場所にも所在しないときに不在用タイマをスタートさせて、しきい値を超えたことにより異常の発生を報知手段４４に通知することで、いずれの場所での老齢者の異常を検知することができる。
特に、老齢者がベッドＢから抜け出し、移動先、例えば、台所Ｒ２やトイレＲ３、脱衣所Ｒ４などに辿り着く前に転倒などしてしまうことがよくある。そのような場合でも、老齢者の事故を検知することができる。
また、老齢者の転倒事故が多い、台所Ｒ２、トイレＲ３、脱衣所Ｒ４および浴室Ｒ５に第２センサ３０が設置されているため、転倒事故が発生しても直ぐに発見することができる。
【００４４】
報知手段４４では、記憶手段４６に設定された方法、例えば、ＬＩＮＥ（登録商標）などを使って、老齢者の異常を報知することができる。
【００４５】
このように、制御装置４０では、老齢者が就床の状態か否かを検知する第１センサ２０については、時間監視せず、他の場所での老齢者の所在を検知する第２センサ３０（台所センサ３１、トイレセンサ３２、脱衣所センサ３３、浴室センサ３４）については時間監視する。そして、第２センサ３０からの老齢者の所在通知を受信したときに計時をスタートさせ、この計時が所定時間を超えると警報を報知する。
従って、老齢者が就床して活動が抑えられる夜間であっても、就床から起き出した移動先での異常を発見することができる。よって、見守り装置１０は、夜間の就床以外の行動の状態が心配な老齢者を見守ることができる。
【００４６】
制御装置４０では、情報表示手段４５が、老齢者の異常を通知するだけでなく、この離床状態や就床状態、生体情報を、端末装置Ｔから離席した見守り業者の担当者が携行する携帯端末装置Ｔ１、医師が携行する携帯端末装置Ｔ２、家族が携行する携帯端末装置Ｔ３に表示するようにしてもよい。
例えば、図５に示すように、「呼吸数」と、「脈拍」と、睡眠状態を示す「睡眠」と、離床状態があったか否かを示す「離床」とが、時系列に並んでいる。
【００４７】
「呼吸数」および「脈拍」は１時間の平均値である。「睡眠」は、就床状態解析手段４２が解析した睡眠状態を示すものである。例えば、覚醒状態であれば「悪」、浅い睡眠状態であれば「中」、深い睡眠状態であれば「良」と表示することができる。
「離床」は１時間で離床したか否かを示すものである。離床していれば赤色、離床していなければ緑色とすることができる。離床していれば、どこへ移動したかを「移動先」として表示することができる。例えば、２１時から２２時の間に「トイレ」、７時から８時の間に「台所」のように表示される。
【００４８】
このように時系列の一覧表とすることで、介護者や医師、家族が、老齢者の夜間の行動や健康状態を容易に把握することができる。
【産業上の利用可能性】
【００４９】
本発明は、一人暮らしする老齢者や要介助者、要介護などを遠隔から家族や関係者が見守る際に好適である。
【符号の説明】
【００５０】
１０  見守り装置
２０  第１センサ
３０  第２センサ
３１  台所センサ
３２  トイレセンサ
３３  脱衣所センサ
３４  浴室センサ
４０  制御装置
４１  通信手段
４２  就床状態解析手段
４３  時間計数手段
４４  報知手段
４５  情報表示手段
４６  記憶手段
Ｒ１  寝室
Ｒ２  台所
Ｒ３  トイレ
Ｒ４  脱衣所
Ｒ５  浴室
Ｒ６  廊下
Ｌ  居間
Ｔ  端末装置
Ｔ１〜Ｔ３  携帯端末装置
Ｂ  ベッド
Ｒ  無線ルータ
ＧＷ  無線中継装置
Ｗ  インターネット
【図１】
2018072886.tif 000003
【図２】
2018072886.tif 000004
【図３】
2018072886.tif 000005
【図４】
2018072886.tif 000006
【図５】
2018072886.tif 000007